(57)【要約】【課題】犬の糞の状態によらずにうまく収納し処理でき、犬の体に装着するのが容易で、尻尾が邪魔をせずにうまく機能する糞入れコップ付き犬服を提供する。【解決手段】犬３の腰部５を覆う犬服１に、犬３の肛門を露出させる円形の尻孔９を形成し、この尻孔９にホック釦１３で紙コップ取り付ける。犬服１の服地７は、展開した形状が、略長方形の長辺１９の中央に台形２１を足した形をなし、この台形２１の部分には中央に尻尾を入れる尻尾孔１７、及びこの尻尾孔１７の両脇に犬３の脚を入れる脚孔１５が形成され、台形２１の部分の短辺２３は、犬３に装着した状態で丸くなって尻孔９になり、略長方形の両短辺には、装着用のホック釦１３が設けられている。【選択図】図1
2007006881.tif 000002
【特許請求の範囲】
【請求項１】
少なくとも犬の腰部を覆う服地と、この服地を装着した状態で犬の肛門を露出させる円形の尻孔と、この尻孔に取り付けられる紙コップと、この取り付けのために前記尻孔の周囲及び前記紙コップの縁部に設けられた取付手段と、を有することを特徴とする糞入れコップ付き犬服。
【請求項２】
前記取付手段は、ホック釦、又はマジックテープ（登録商標）であることを特徴とする請求項１に記載の糞入れコップ付き犬服。
【請求項３】
前記服地には、犬の脚を入れる脚孔と、尻尾を入れる尻尾孔と、を有することを特徴とする請求項１、又は２に記載の糞入れコップ付き犬服。
【請求項４】
前記服地は、展開した形状が、略長方形の長辺の中央に台形を足した形をなし、この台形の部分には中央に尻尾を入れる尻尾孔、及びこの尻尾孔の両脇に犬の脚を入れる脚孔が形成され、前記台形の部分の短辺は、犬に装着した状態で丸くなり前記尻孔になり、前記略長方形の両短辺には、装着用のホック釦、又はマジックテープ（登録商標）が設けられていることを特徴とする請求項１、２、又は３に記載の糞入れコップ付き犬服。
【発明の詳細な説明】
【技術分野】
【０００１】
この発明は、犬がした糞を処理することができる犬の服の構造に関する。
【背景技術】
【０００２】
犬が散歩の途中でした糞を飼い主が始末するには、地面に落ちた糞を、ショベルなどを使って袋などに入れなければならず、処理が面倒である。
これに対し、下記の特許文献１では、犬の腰部に装着したベルト装置に糞収納袋を取り付け、糞が地面に落ちる前に袋に入れてしまうことができ、処理が簡単になる。
【特許文献１】特開平１０−６６４７０
【発明の開示】
【発明が解決しようとする課題】
【０００３】
しかしながら、特許文献１の技術では、袋は内側の両側面がくっついた状態にあるので、糞が水分を多く含むなど状態によっては、くっついた部分を糞が押しのけることができないので、袋にうまく収納されないことがある。また、ベルト装置は犬の体に装着するのが面倒である。
【０００４】
さらに、柴犬などのように尻尾が上方へ巻いている犬はよいが、尻尾が大きくて垂れている犬などは、尻尾が邪魔をして袋がうまく肛門の部分に対し位置できず、うまく機能しないことがある。
この発明は、以上の問題点を解決するために、糞の状態によらずにうまく収納でき、犬の体に装着するのが容易で、尻尾が邪魔をせずにうまく機能する糞入れコップ付き犬服を提供することを目的とする。
【課題を解決するための手段】
【０００５】
以上の課題を解決するために、第一発明は、少なくとも犬の腰部を覆う服地と、この服地を装着した状態で犬の肛門を露出させる円形の尻孔と、この尻孔に取り付けられる紙コップと、この取り付けのために前記尻孔の周囲及び前記紙コップの縁部に設けられた取付手段と、を有することを特徴とする糞入れコップ付き犬服である。
第二発明は、さらに、前記取付手段は、ホック釦、又はマジックテープ（登録商標）であることを特徴とする糞入れコップ付き犬服である。
第三発明は、さらに、前記服地には、犬の脚を入れる脚孔と、尻尾を入れる尻尾孔と、を有することを特徴とする糞入れコップ付き犬服である。
第四発明は、さらに、前記服地は、展開した形状が、略長方形の長辺の中央に台形を足した形をなし、この台形の部分には中央に尻尾を入れる尻尾孔、及びこの尻尾孔の両脇に犬の脚を入れる脚孔が形成され、前記台形の部分の短辺は、犬に装着した状態で丸くなり前記尻孔になり、前記略長方形の両短辺には、装着用のホック釦、又はマジックテープ（登録商標）が設けられていることを特徴とする糞入れコップ付き犬服である。
【発明の効果】
【０００６】
第一、第二、第三発明、又は第四発明によれば、犬の肛門を覆って紙コップが取り付けられるので、例えば糞が水分を多く含むなど状態であっても、特許文献１の袋のように内側の両側面がくっついた状態にあることはないため、容易に、糞を収納できる。さらに、犬服は、特許文献１のベルト装置のように犬の体に装着するのが面倒ではないので、装着が容易である。
【０００７】
第二、第三発明、又は第四発明によれば、さらに、紙コップは、ホック釦又はマジックテープ（登録商標）で容易に着脱が可能である。
第三発明、又は第四発明によれば、さらに、犬服が尻尾を入れる尻尾孔を有することから、尻尾の姿勢を例えば上向きに調整でき、本来は」尻尾が大きくて垂れている犬などであっても、尻尾が邪魔をすることがなく、うまく機能する。
第四によれば、さらに、服地は、展開した形状が簡単で、製造が容易であり、製造コストを抑えることができる。
【発明を実施するための最良の形態】
【０００８】
この発明の実施形態を、図１から図３に示す。
図１は、糞入れコップ付き犬服１を使用した状態を示すもので、犬３の腰部５を覆う服地７には、服地７を装着した状態で犬３の肛門を露出させる円形の尻孔９が形成される。この尻孔９に紙コップ１１が取り付けられる。この取り付けのために、尻孔９の周囲及び紙コップ１１の縁部に、ホック釦１３が設けられる。また、服地７には、犬３の脚３Ａを入れる脚孔１５と、尻尾３Ｂを入れる尻尾孔１７と、を有する。
【０００９】
図２（Ａ）に示すように、服地７の展開した全体の形状は、略長方形の一方の長辺１９の中央に台形２１を足した形をなす。この台形２１の部分には、中央に尻尾を入れる小さな尻尾孔１７が形成され、この尻尾孔１７の両脇には犬３の脚を入れる大きな脚孔１５が形成される。台形２１の部分の短辺２３（図中の下辺）は、犬３に装着した状態で丸くなり尻孔９になる。この短辺２３には、紙コップ１１を取り付けるための例えば雌タイプのホック釦１３Ａが６片、等間隔で設けられる。  
これら雌タイプのホック釦１３Ａに対して図２（Ａ）に示すように、紙コップ１１の縁部１１ａには、例えば雄タイプのホック釦１３Ｂが６片、等間隔で設けられる。
【００１０】
そして図３に示すように、対応する雌タイプと雄タイプのホック釦１３Ａ，１３Ｂをくっつけることで、紙コップ１１を取り付けることができる。図中のホック釦１３は、布などのベース地１４に取り付けられ、このベース地１４が両面テープなどを介して、紙コップ１１側のものは紙コップ１１の縁部の側面に貼り付けられ、尻孔９側のものは尻孔９の縁にＬ字状に立ち上がった状態で貼り付けられている。
【００１１】
さらに、略長方形の両短辺２５には、装着用のホック釦２７が設けられている。短辺２５の一方には、例えば雌タイプのホック釦２７Ａが、他方には雄タイプのホック釦２７Ｂが設けられる。
【００１２】
「実施形態の効果」
この実施形態によれば、犬３の肛門を覆って紙コップ１１が取り付けられるので、例えば糞が水分を多く含むなど状態であっても、特許文献１の袋のように内側の両側面がくっついた状態にあることはないため、容易に、糞を収納できる。
【００１３】
また、紙コップ１１は、ホック釦１３で容易に着脱が可能である。
さらに、犬服１は、特許文献１のベルト装置のように犬３の体に装着するのが面倒ではなく、ホック釦２７で容易に装着ができる。
【００１４】
さらに、犬服１が尻尾３Ｂを入れる尻尾孔１７を有することから、尻尾３Ｂの姿勢を例えば上向きに調整でき、本来は尻尾３Ｂが大きくて垂れている犬３などであっても、尻尾３Ｂが邪魔をすることがなく、うまく機能する。
さらに、服地７は、展開した形状が簡単な形状であり、よって製造が容易であり、製造コストを抑えることができる。
【００１５】
「他の実施形態」
以上の実施形態では、図３に示すように、ホック釦１３は、ベース地１４を介して、紙コップ１１側のものは紙コップ１１の縁部の側面に設けられ、尻孔９側のものは尻孔９の縁にＬ字状に立ち上がった状態で設けられるものであったが、他の実施形態では、紙コップ１１側のものは縁部の先端に設け、尻孔９側のものは尻孔９の縁に平面的に設け、これにより紙コップ１１の取り付けを容易にしてもよい。
【００１６】
以上の実施形態では、紙コップの取付手段として、ホック釦１３を用いたが、他の実施形態では、これに限らず他の手段が可能である。例えば、図４、図５に示すように、マジックテープ（登録商標）２９を用いることができる。マジックテープ（登録商標）を用いることで、ベース地１４を別に用意する必要は無い。そして、前記実施形態の効果とほぼ同様の効果を得る。
【００１７】
そして、図５に示すように、マジックテープ（登録商標）２９は、紙コップ１１側のものは雄タイプのマジックテープ（登録商標）２９Ａを紙コップ１１の縁部の側面に貼り付けられ、尻孔９側のものは雌タイプのマジックテープ（登録商標）２９Ｂを尻孔９の縁にＬ字状に立ち上がった状態で貼り付けられている。
図４に示すように、このような実施形態では犬服１の装着用にも、マジックテープ３１（登録商標）を用いることができる。すなわち、略長方形の両短辺２５の一方には、例えば雌タイプのマジックテープ（登録商標）３１Ａが、他方には雄タイプのマジックテープ（登録商標）３１Ｂが設けられる。
【００１８】
さらに、マジックテープ（登録商標）２９を用いた他の実施形態では、紙コップ１１側のものは縁部の先端に設け、尻孔９側のものは尻孔９の縁に平面的に設け、これにより紙コップ１１の取り付けを容易にしてもよい。またマジックテープ（登録商標）２９は、複数片を設けるのではなく、紙コップ１１の縁部に沿って細長い１枚のものを設け、尻孔９側のものは孔に沿って細長い１枚のものを設けてもよい。
【図面の簡単な説明】
【００１９】
【図１】この発明の一実施形態にかかる糞入れコップ付き犬服の使用状態を示す斜視図である。
【図２】（Ａ）は図１の犬服の展開図、（Ｂ）は図１の紙コップの斜視図である。
【図３】図１の紙コップの取り付け部分の分解拡大図である。
【図４】この発明の他の実施形態を示すもので、（Ａ）は犬服の展開図、（Ｂ）は犬服に取り付けられる紙コップの斜視図である。
【図５】図４の紙コップの取り付け部分の分解拡大図である。
【符号の説明】
【００２０】
１…犬服、３…犬、５…腰部、７…服地、９…尻孔、１１…紙コップ、１３…ホック釦、１５…脚孔、１７…尻尾孔、１９…長辺、２１…台形、２３…短辺、２５・・両端辺、２７・・ホック釦、２９、３１…マジックテープ（登録商標）。
【図１】
2007006881.tif 000003
【図２】
2007006881.tif 000004
【図３】
2007006881.tif 000005
【図４】
2007006881.tif 000006
【図５】
2007006881.tif 000007